(57)【要約】【課題】  市販の携帯電話機にそのまま取付可能であって、該携帯電話機に所定の処理を実行させることができる携帯電話機用アタッチメント、及び該携帯電話機用アタッチメントを有する監視装置を提供すること。【解決手段】  携帯電話機８０に所定の処理を実行させるものであって、予め設定された順序にしたがって携帯電話機８０のボタン部８１を直接押下する押下手段１２と、押下手段１２を携帯電話機８０に取付固定させる取付固定手段１１とを備えていることを特徴としている。【選択図】  図１
2006148777.tif 000002
【特許請求の範囲】
【請求項１】
携帯電話機に所定の処理を実行させる携帯電話機用アタッチメントにおいて、
予め設定された順序にしたがって前記携帯電話機のボタン部を直接押下する押下手段と、
該押下手段を携帯電話機に取付固定させる取付固定手段とを備えていることを特徴とする携帯電話機用アタッチメント。
【請求項２】
押下手段は、ボタン部の設置位置と対応する位置に配設されたシリンダ部材を備えていることを特徴とする請求項１記載の携帯電話機用アタッチメント。
【請求項３】
押下手段は、上下に回転移動する回転子部材と、該回転子部材の表面に携帯電話機のボタン部の設置位置と対応する位置に配設された凸部材とを備えていることを特徴とする請求項１又は２に記載の携帯電話機用アタッチメント。
【請求項４】
携帯電話機は、画像を撮影する処理を実行可能な撮影手段を有するものであって、
押下手段は、前記撮影手段が処理を実行するように、前記携帯電話機のボタン部を押下することを特徴とする請求項１から３の何れかに記載の携帯電話機用アタッチメント。
【請求項５】
携帯電話機は、撮影手段により撮影された画像を送信する処理を実行可能な送信手段を有するものであって、
押下手段は、前記送信手段が処理を実行するように、前記携帯電話機のボタン部を押下することを特徴とする請求項１から４の何れかに記載の携帯電話機用アタッチメント。
【請求項６】
請求項４記載の携帯電話機用アタッチメントと、
画像を撮影する処理を実行可能な撮影手段を有する携帯電話機とを備えていることを特徴とする監視装置。
【請求項７】
請求項５記載の携帯電話機用アタッチメントと、
画像を撮影する処理を実行可能な撮影手段および該撮影手段により撮影された画像を送信する処理を実行可能な送信手段を有する携帯電話機とを備えていることを特徴とする監視装置。
【請求項８】
携帯電話機が、所在地情報を報知する報知手段を備えていることを特徴とする請求項６又は７に記載の監視装置。
【発明の詳細な説明】
【技術分野】
【０００１】
本発明は、携帯電話機に取付固定されて携帯電話機に所定の処理を実行させる携帯電話機用アタッチメント、及び該携帯電話機用アタッチメントを有する監視装置に関する。
【背景技術】
【０００２】
近年、携帯電話機の普及率には、目を見張るものがあり、技術的にも、メール機能を有するものや、カメラ機能を有するもの、ＧＰＳ機能を有するもの等、種々の機能が増えて格段に進歩している。
【０００３】
そして、携帯電話機の多様な機能に着眼して、種々の装置が発明されている。例えば、特許文献１記載の監視装置の発明が挙げられる（特許文献１参照）。これにより、監視装置を簡素に構成することができるのである。
【特許文献１】特開２００１−５３９０５号公報
【発明の開示】
【発明が解決しようとする課題】
【０００４】
しかしながら、特許文献１に記載の従来技術によれば、機械的及び制御的の両面において、専用設計の携帯電話機を必要とし、市販の携帯電話機をそのまま転用できないという不具合があった。
【０００５】
そこで、案出されたのが本発明であって、本発明は、市販の携帯電話機にそのまま取付可能であって、該携帯電話機に所定の処理を実行させることができる携帯電話機用アタッチメント、及び該携帯電話機用アタッチメントを有する監視装置を提供することを目的としている。
【課題を解決するための手段】
【０００６】
この目的を達成するために、特許請求の範囲に記載の発明のうち、独立形式の請求項である請求項１に記載の携帯電話機用アタッチメントは、携帯電話機に所定の処理を実行させるものであって、予め設定された順序にしたがって前記携帯電話機のボタン部を直接押下する押下手段と、該押下手段を携帯電話機に取付固定させる取付固定手段とを備えていることを特徴としている。
【０００７】
そして、上述の構成を有する請求項１記載の携帯電話機用アタッチメントによれば、取付固定手段により携帯電話機に取付固定された押下手段により、予め設定された順序にしたがって該携帯電話機のボタン部が直接押下される。これにより、携帯電話機に所定の処理を実行させることが可能となる。
【０００８】
また、他の独立形式の請求項である請求項６に記載の監視装置は、請求項４記載の携帯電話機用アタッチメントと、画像を撮影する処理を実行可能な撮影手段を有する携帯電話機とを備えていることを特徴としている。
【０００９】
この請求項６に記載の監視装置によれば、携帯電話機用アタッチメントを構成する押下手段により、携帯電話機を構成するボタン部が直接押下され、これにより、携帯電話機を構成する撮影手段によって画像が撮影される。
【００１０】
更に、別の独立形式の請求項である請求項７に記載の監視装置は、請求項５記載の携帯電話機用アタッチメントと、画像を撮影する処理を実行可能な撮影手段、及び撮影手段により撮影された画像をメールに添付して送信する処理を実行可能な送信手段を有する携帯電話機を備えていることを特徴としている。
【００１１】
この請求項７に記載の監視装置によれば、携帯電話機用アタッチメントを構成する押下手段により、携帯電話機を構成するボタン部が直接押下され、これにより、携帯電話機を構成する撮影手段によって画像が撮影され、送信手段によって該撮影手段により撮影された画像が送信される。
【００１２】
従属形式の請求項である請求項２から５の何れかに記載の携帯電話機用アタッチメントは、独立形式の請求項である請求項１に記載の携帯電話機用アタッチメントの構成を全て備える。他方、従属形式の請求項である請求項８に記載の監視装置は、独立形式の請求項である請求項６又は７に記載の監視装置の構成を全て備える。
【発明の効果】
【００１３】
特許請求の範囲に記載の携帯電話機用アタッチメントによれば、取付固定手段により携帯電話機に取付固定された押下手段により、該携帯電話機のボタン部が直接押下されるので、市販の携帯電話機にそのまま取付可能であって、該携帯電話機に所定の処理を実行させることができるという効果がある。
【００１４】
特許請求の範囲に記載の監視装置によれば、取付固定手段により携帯電話機に取付固定された押下手段により、該携帯電話機のボタン部が直接押下されるので、市販の携帯電話機にそのまま取付可能であって、該携帯電話機に画像を撮影する処理を実行させることができるという効果がある。
【発明を実施するための最良の形態】
【００１５】
以下、添付図面を参照して、本発明の好ましい実施の形態の例（実施例）を説明する。
本発明を説明するに当たっては、携帯電話機と該携帯電話機用アタッチメントとを合体させた監視装置について主に説明する。勿論、本発明の技術的範囲は、下記実施例そのものに何ら限定されるものではない。例えば、本発明の技術的範囲は、携帯電話機と該携帯電話機用アタッチメントとを合体させたものに限定されるものではない。
【実施例１】
【００１６】
まず、図１から図５までを参照して、第１の実施例（実施例１）の監視装置１００について説明する。監視装置１００は、携帯電話機８０と、携帯電話機用アタッチメント１０とによって構成されており、携帯電話機用アタッチメント１０は、取付固定手段１１と、押下手段１２とを備えている。
【００１７】
取付固定手段１１は、押下手段１２を携帯電話機８０に取付固定するものであって、携帯電話機８０を表裏両側から挟持するための２枚の板状部材１１ａ，１１ａと、その２枚の板状部材１１ａ，１１ａを連結する複数の連結部材１１ｂ，…，１１ｂと、２枚の板状部材１１ａ，１１ａを挟持した状態で携帯電話機８０の移動を規制する２枚の規制板部材１１ｃと、板状部材１１ａの下方に設けられ且つ板状部材１１ａを垂直に支持するスタンド部材１１ｄとによって構成されている。そして、取付固定手段１１には、押下手段１２が取り付けられている。このように、取付固定手段１１は、展開状態にある携帯電話機８０を表裏両側および左右両側より位置決め固定する機構、押下手段１２を携帯電話機８０に取付固定する機構、及び携帯電話機８０が倒れないように保持する機構を備えている。
【００１８】
押下手段１２は、携帯電話機８０に設けられているボタン部８１（図４参照）を押下するものであって、複数のシリンダ部材１２ａ，…，１２ａと、予め設定された順序にしたがって複数のシリンダ部材１２ａ，…，１２ａを駆動する制御装置１２ｂとによって構成されている。シリンダ部材１２ａは、２枚の板状部材１１ａ，１１ａのうち携帯電話機８０の表面８０ａ（ボタン部８１配置）側に取付固定されている。そして、シリンダ部材１２ａが携帯電話機８０のボタン部８１を押下することによって、携帯電話機８０を操作し、例えば、撮影（カメラ）部（特許請求の範囲に記載の撮影手段に対応。）８２により撮影処理を実行させる処理や、その撮影部８２により撮影された画像を記憶（メモリ）部８３に記憶させる処理や、記憶部８３に記憶された画像を送受信部（特許請求の範囲に記載の送信手段に対応）８４及びアンテナ部８５を介して監視者側装置２００へ送信する処理を実行させるのである。換言すれば、監視装置１００の設置場所に操作者が不在であっても、押下手段１２により携帯電話機８０のボタン部８１を直接押下することによって、携帯電話機８０のカメラ処理や、メール処理等を実行させることができるのである。
【００１９】
ここで、図２に示すように、シリンダ部材１２ａは、板状部材１１ａに設けられた取付用孔１１ａ１に取り付けられている。そして、この取付用孔１１ａ１は、交差する複数の円形状の孔によって構成されている。これにより、市販の携帯電話機８０は、機種等によってボタン配設位置が若干異なるが、適切な位置に配設することが可能となる。更に、シリンダ部材１２ａの取付後においても、該シリンダ部材１２ａの取付位置がずれてしまうことを防止することもできる。
【００２０】
図３は、監視装置１００のブロック図である。この図３に示すように、制御装置１２ｂは、Ｒ２３２Ｃ等の配線（図示せず）を介してのパーソナルコンピュータ（図示せず）と接続可能なポート部１２ｃと、ポート介して入力されたデータ（プログラム、数値データ等）を記憶する記憶部１２ｄと、記憶部１２ｄに記憶されたデータに基づいて処理を実行する演算部１２ｅと、演算部１２ｅの演算結果に基づいてシリンダ部材１２ａを駆動するドライブ部１２ｆと、タイマー部１２ｇと、充電式バッテリー部１２ｈとにより構成されている。制御装置１２ｂ、即ち、押下手段１２に予め設定される順序（シリンダ部材１２ａを押下する順序、即ち、携帯電話機８０のボタン部８１を押す順序）は、ポート部１２ｃを介して入力され、記憶部１２ｄに記憶されるのである。
【００２１】
図５は、携帯電話機用アタッチメント１０のフローチャート図である。図４に示すように、設定処理Ｓ１と、作動処理Ｓ２とに区分される。設定処理Ｓ１においては、まず、撮影開始時間、撮影間隔、撮影終了時間、並びに、画像を撮影する処理を実行するために必須のボタン部８１の種類および押下する順序を記憶する撮影情報記憶処理Ｓ１１を実行する。その後、撮影した画像の送信先のアドレス、送信開始時間、送信間隔、送信終了時間、並びに、撮影した画像をメールに添付して送信する処理を実行するために必須のボタン部８１の種類及び押下する順序を記憶する送信情報記憶処理Ｓ１２を実行する。これら処理Ｓ１２，Ｓ１３で入力されたデータは制御装置１２ｂの記憶部１２ｄに記憶される。
【００２２】
次に、作動処理Ｓ２について説明する。作動処理Ｓ２においては、設定された撮影開始時間となったか否かが判断され（Ｓ２１）、設定された撮影開始時間となると（Ｓ２１：Ｙｅｓ）、シリンダ部材１２ａを駆動させて携帯電話機８０のボタン部を押下することにより、設定された撮影間隔毎に、撮影終了時間となるまで（Ｓ２４：Ｎｏ）、撮影処理（Ｓ２２）及び送信処理（Ｓ２３）を継続的に実行し、撮影終了時間となれば（Ｓ２４：Ｙｅｓ）、撮影処理（Ｓ２２）及び送信処理（Ｓ２３）を終了する。ここで、撮影処理（Ｓ２２）においては、静止画を撮影し、撮影すると同時に記憶部８３に記憶するようにされており、送信処理（Ｓ２３）においては、撮影画像をメールに添付して所定の送信先に送信するようにされている。
【００２３】
本監視装置１００は、以上のように構成されているので、市販の携帯電話機８０をそのまま利用して、監視装置を構成することができる。これにより、産業廃棄物の不法投棄の監視装置や、子供や寝たきり老人の監視装置、農作物への鳥獣被害の監視装置、一人暮らしの女性等の安全のための監視装置を安価に構成ことが可能となる。また、設置したり又は除去したりする作業を簡単に行うことができる。
【実施例２】
【００２４】
次に、図６を参照して、本発明の第２の実施例（実施例２）について説明する。なお、実施例２を説明するに当たり、実施例１と同一の部分には、同一の符号を付してその説明を省略し、異なる部分のみを説明する。
【００２５】
実施例２の監視装置２００は、携帯電話機８０と、携帯電話機用アタッチメント２０とによって構成されている。携帯電話機用アタッチメント２０は、シリンダ部材１２ａに変えて、突起部２２ａを有するとともに、上下に回転移動することにより携帯電話機８０のボタン部８１を押下する回転子部材２２ｂと、この回転子部材２２ｂを取付け固定する取付固定手段２１とを備えている。この取付固定手段２１は、回転子部材２２ｂを上下動可能に支持する支持部材２１ａと、該支持部材２１ａの下方に設けられ且つ垂直に支持するスタンド部材２１ｂとによって構成されている。
【００２６】
この実施例２によれば、携帯電話機８０の機種等に応じて押下するボタン部８１が異なる場合に、隣合うボタン部８１，８１間が狭いが故にシリンダ部材１２ａが干渉して配設できない方式（タイプ）の携帯電話機８０であっても対応することが可能となる。
【００２７】
以上実施例に基づき本発明を説明したが、上記実施例は、本発明の趣旨を逸脱しない範囲内で種々の改良変形が可能であることはいうまでもなく、本発明の技術的範囲には、これらの改良変形も含まれる。
【００２８】
例えば、上記実施例においては、撮影するとともに、その撮影した画像を送信するようにされているが、少なくとも、撮影するのみであっても良い。例えば、一人暮らしの女性等が寝る前等にセットしておけば、安全である。
【００２９】
また、上記実施例において、撮影処理の実行時にフラッシュ処理を同時に実行するようにしても良い。これにより、一人暮らしの女性の安全性をより高めることが可能となるし、農作物への鳥獣が近づかないように牽制することが可能となる。
【００３０】
更に、上記実施例においては、携帯電話機８０を展開して撮影するようにされているが、展開しなくても折畳み状態において側面に設けられたボタン部を押下することにより撮影可能な方式の携帯電話機の場合には、折畳み状態の携帯電話機８０に押下手段１２を取付固定するようにしても良い。
【００３１】
また、上記実施例において、静止画のみを撮影するようにされているが、動画を撮影し、所定の契機となった場合に、動画を転送するようにしても良い。
【００３２】
更に、上記実施例では、撮影開始の契機が撮影開始時間となることに起因している。しかしながら、例えば、感知センサを設けておき、この感知センサが人の侵入を感知したことを契機として、撮影処理、更には、送信処理を実行するようにしても良い。
【００３３】
更に、上記実施例では、取付固定手段１１がスタンド式となっているが、例えば、窓ガラス等に吸着可能な吸着手段を備えていても良い。更には、回転可能なスタンド式としても良い。
【００３４】
更に、上記実施例は、充電式バッテリー部１２ｈを備えているが、この充電式バッテリー部１２ｈから携帯電話機８０へ給電するように構成しても良い。これにより、近くにコンセントや、発電機がない場合にも対応可能である。
【００３５】
更に、上記実施例は、充電式バッテリー部１２ｈを備えているが、携帯電話機８０用の充電コードの先端に分電コネクタを設け、この分電コネクタより充電式バッテリー部１２ｈへ給電するようにしても良い。これにより、携帯電話機８０へ充電しながら、且つ、アタッチメント１０，２０を駆動させることができる。特に、フラッシュモードを多用する場合には好ましい。
【００３６】
更に、上記実施例においては、撮影処理の終了後、すぐに送信処理を実行するようにされている。しかしながら、とりあえず撮影処理のみ実行し、その後、所定時間経過後に、まとめて送信処理を実行するようにしても良い。
【図面の簡単な説明】
【００３７】
【図１】本発明の実施例１の監視装置の前方側概略斜視図である。
【図２】実施例１の監視装置を構成する携帯電話機用アタッチメントの前方側概略斜視図である。
【図３】実施例１の監視装置の後方側概略斜視図である。
【図４】実施例１の監視装置のブロック図である。
【図５】実施例１の監視装置のフローチャート図である。
【図６】実施例２の携帯電話機用アタッチメントの側方側概略図である。
【符号の説明】
【００３８】
１０      携帯電話機用アタッチメント
１１      取付固定手段
１１ａ    板状部材
１１ｂ    連結部材
１１ｃ    規制板部材
１１ｄ    スタンド部材
１２      押下手段
１２ａ    シリンダ部材
１２ｂ    制御装置
１２ｃ    ポート部
１２ｄ    記憶部
１２ｅ    演算部
１２ｆ    ドライブ部
１２ｇ    タイマー部
１２ｈ    充電式バッテリー部
２０      携帯電話機用アタッチメント
２２ａ    回転子部材
２２ｂ    回転移動手段
２２１    突起
８０      携帯電話機
８１      ボタン部
８２      撮影部
８３      記憶部
８４      送受信部
８５      アンテナ部
【図１】
2006148777.tif 000003
【図２】
2006148777.tif 000004
【図３】
2006148777.tif 000005
【図４】
2006148777.tif 000006
【図５】
2006148777.tif 000007
【図６】
2006148777.tif 000008